(57)【要約】【課題】ブラックライトを用いて見る者に動的視覚を与えるディスプレイを提供する。【解決手段】内部を視認することができる中空立体である本体部（１）に、蛍光塗料を一部又は全体に塗布した発光部（３１）を配した被照射面（３）を形成し、前記発光部（３１）にスポット照射するブラックライト（２）を多数個列設して、それぞれのブラックライト（２）が速度調整自在にリレー点滅してゆき、それぞれのブラックライト（２）が照射する発光部（３１）の位置を移動させるように構成している。そのため移動しない要所の発光部（３１）が見る者に運動錯視による移動感を与え、動的視覚をもたせる。【選択図】図１
0003131824.tif 000002
【実用新案登録請求の範囲】
【請求項１】
内部を視認することができる中空立体である本体部（１）の内面に、蛍光塗料を一部又は全体に塗布した多数の発光部（３１）を配した被照射面（３）を形成し、前記発光部（３１）にスポット照射するブラックライト（２）を多数個列設して、それぞれのブラックライト（２）が照射する箇所を速度調整自在にリレー点滅してゆき、それぞれのブラックライト（２）が照射する発光部（３１）の位置を移動視認させるように構成し、移動しない要所の発光部（３１）が見る者に運動錯視による動的視覚をもたせることを特徴とするブラックライトを用いて動的視覚を与えるディスプレイ。
【請求項２】
内部を視認することができる中空立体である本体部（１）に、蛍光塗料を塗布した要所の発光部（３１）及びその周囲に多数の発光部（３１）を配した被照射面（３）を形成し、前記要所の発光部（３１）に照射する白色スポットライト（２０）設けるとともにその周囲の各発光部（３１）それぞれにスポット照射するブラックライト（２）を多数個列設して、前記ブラックライト（２）が照射する箇所を速度調整自在にリレー点滅してゆくように構成されたことを特徴とするブラックライトを用いて動的視覚を与えるディスプレイ。
【請求項３】
少なくとも一方向から内部を視認することができる中空立体である本体部（１）に、内部壁面に船が海を航行している等の絵、図柄、立体形状、景色、模様等の被照射面（３）を設け、前記本体部（１）の内部壁面の絵等の被照射面（３）は蛍光塗料を一部又は全体に塗布した数個所の発光部（３１）を有し、発光部（３１）は蛍光塗料を塗布した要所の発光部（３１）及びその周囲に多数の発光部（３１）を配してなり、中空立体の本体部（１）の内部床面をライトカバー（１１）として、前記発光部（３１）に照射する白色スポットライト（２０）設けるとともに前記各発光部（３１）にスポット照射するブラックライト（２）（２）（２）・・を多数個列設し、前記ブラックライト（２）は照射する箇所を速度調節摘み（５）で速度調整自在にリレー回路で順次点滅をするするように回路構成し、前記各ブブラックライト（２）は被照射面（３）に合わせてそれぞれ照射方向を定めて、前記各発光部（３１）付近に照射して、蛍光反射によって発光部（３１）を順次視認強調するものであって、前記本体部（１）の前面には透明板（２５）を設け、前記本体部（１）前面から前記被照射面（３）の間に空間を設けて奥行きを感得させて立体感を与えながら被照射面（３）に動的視覚を感得させることを特徴とするブラックライトを用いて動的視覚を与えるディスプレイ。
【請求項４】
前記ブラックライト（２）は、３個以上列設され、各ブブラックライト（２）は前記各発光部（３１）に対し、入射角度を１０度〜４５度に設定したことを特徴とする請求項１〜請求項３のいずれかに記載のブラックライトを用いて動的視覚を与えるディスプレイ。
【請求項５】
前記被照射面（３）は、上方側が前方に湾曲した形状であること特徴とする請求項１〜請求項４のいずれかに記載のブブラックライトを用いて動的視覚を与えるディスプレイ。
【請求項６】
前記本体部（１）の一部が開閉できることを特徴とする請求項１〜請求項５のいずれかに記載のブラックライトを用いて動的視覚を与えるディスプレイ。
【請求項７】
前記本体部（１）の一部に鏡面を形成したことを特徴とする請求項１〜請求項６のいずれかに記載のブラックライトを用いて動的視覚を与えるディスプレイ。
【請求項８】
前記電源スイッチ（４）は、電池或いはソーラーパネル（２２）を電源とし、ＯＮ、ＯＦＦのスイッチ、又は点滅速度又は点滅方向の切替えのＯＮ１、ＯＮ２とＯＦＦからなるスイッチを設け、前記本体部（１）に音スイッチ（７）、タイマースイッチ（９）、物体が近づくことのセンサー（１０ａ）、前記センサー（１０ａ）によって作動するセンサースイッチ（１０）を設けたことたことを特徴とする請求項１〜請求項７のいずれかに記載のブブラックライトを用いて動的視覚を与えるディスプレイ。
【考案の詳細な説明】
【技術分野】
【０００１】
本考案は、蛍光塗料を一部又は全体に塗布して間隔を置いて配置した発光部に対して、順次点滅するように列設したブブラックライトで照射し、その発光部のうち明度の高い一部要所をして見る者に動的視覚〔動的視認感覚〕を与えるディスプレイに関するものである。
本考案は、画面に動的視覚を与えるもので、ディスプレイ  装飾置物  蛍光絵画  ディスプレイおもちゃ、学習教材、看板などの分野に使用できる。
【背景技術】
【０００２】
従来のライト照射によるディスプレイには、絵に蛍光塗料を塗布しライトを照射するものや、壁画にライトを全面的に照射し飾っているものがある。
例えば、博物館の展示物照射や建築物のライトアップは、ライトの一定方向からの固定連続照射になっている。
【０００３】
ところが、絵画や壁画にライトを照射するだけであると、見る者はただそこに絵画や壁画が存在するということしか感じることができない。
【０００４】
また、ライトを静的にしか使用していないため絵画等に照射した場合でも動的視覚を見る者に与えることができなかった。この点で照射される物の表現の幅を縮めている。
さらに展示物によっては、要所にライトアップすることで展示の強調をしたい場合があり、要所が複数個ある展示では、順次ライトを移動させてその要所を順次説明するためにライトアップするものもある。
又ライトアップではないが、ロボットの展示などでは要所自体や背景を動かすことで動的印象を与えることでより臨場実感を与えることができるものがある。
【０００５】
しかし、順次ライトを移動させて照射しても、動的視覚は生じないし、展示物自体を動かすとなると、そのための装置が必要になり、経済的負担も増し、動かすためのリスク（振動、破損、持ち運びの手間、移動している最中に絵画や展示物に傷がついたりする問題）が生じるため、やはり、展示物はリスクを避けて静置するのが好ましいとされ、動的展示は難しい課題であった。
このように展示物に対し、単に展示物にスポットライトを当てるもの、単に複数の展示物に順次、スポットライトを照射するものは、散見できる。
しかし、いずれも主役たる展示物に照射するもので動的視覚を与えるものではなかった。
動的視覚の付与を目的とするものではないが、関連すると思われる文献の公報番号を列記する。
【０００６】
【特許文献１】特開平７−３３４１０３号公報
【特許文献２】特開平５−２９４０９９号公報
【特許文献３】特開平１０−３１９８８７号公報
【特許文献４】特開２０００−１４９６０６号公報
【特許文献５】特開２００５−０００５９８号公報
【特許文献６】特開２００５−２１９３８５号公報
【考案の開示】
【考案が解決しようとする課題】
【０００７】
解決しようとする課題は以下の通りである。
従来のディスプレイ、絵画や置物、のライト照射には、見る者に動的視覚を与えることがない点。
ブラックライトの幻想的雰囲気を用いて動的イメージを醸すディスプレイがない点。
（３）従来の絵画や置物等にライトを照射する場合、絵画等とライトが別々であると持ち運びなどに手間がかかってしまう点。
（４）従来のディスプレイ、絵画や置物、のライト照射では、臨場感や立体感が弱い点。
（５）従来のディスプレイおもちゃ等の展示置物等は、中に設置できる物や配置が決められており、中の物を交換したり、配置変更ができない点。
このような点に鑑み、ライトアップのためにブラックライトを旨く利用し、展示物や要所を動かすことなく、照射タイミングによって見る者に立体的、動的視覚を与えるディスプレイの新規構造を課題とした。
そして、
（６）動的視覚を与えるには、見る者の個性に対応すること、移動感を与えるための注意喚起点（本考案では発光部）の配置を工夫する点。
を課題とした。
【課題を解決するための手段】
【０００８】
本考案は、人間の視覚が、動くものや目立つものに惹かれる運動錯視の特性を利用して、静置された展示物でも、その注意を喚起される箇所を移動することにより、その移動によってよって生じる躍動感をディスプレイに実現したものである。
注意を喚起する箇所は、複数個設置され、通常は目立たないがライトを受けることでその存在を強調できる蛍光発光する発光部塗布箇所であって、複数あるブラックライトを順次その箇所へ照射して発光部を移動（走査、スイープ）させることによって、見る者に明度の高い注意喚起のある箇所に、前記発光部とは逆方向に動く移動感を与え、動的視覚を与えることができる装置の開発を最も主要な目的とする。
【０００９】
本考案は、内部を視認することができる中空立体である本体部（１）に、蛍光塗料（蓄光塗料可）を一部又は全体に塗布した船や雲や波などの図柄である発光部（３１）を配した被照射面（３）（平面或いは立体物を含む背景絵図柄＝背景紙）を形成し、被照射面（３）には要所の発光部（３１）とその周囲に多数の発光部（３１）を配したものや、要所と他の部分とを明度差をもって表現したものが含まれ、電源スイッチ（４）に接続して、前記要所の発光部（３１）に照射する白色スポットライト（２０）設けるとともに散在する周囲の前記各発光部（３１）にスポット照射するブラックライト（２）を多数個列設して、それぞれのブラックライト（２）が照射する箇所を速度調整自在にリレー点滅してゆくように構成されており、そのリレー点滅が視覚を移動させ被照射面（３）のうち明度の高い他のある部分（要所）に動的印象を与えるもので、本体部（１）の前面側に設けた前記ブラックライト（２）と前記発光部（３１）との間に空間を設けたことを特徴とするブラックライトを用いて動的視覚を与えるディスプレイである。
【００１０】
つまり、多数のブラックライト（２）がそれぞれ照射する箇所を速度調整自在にリレー点滅してゆき、それぞれのブラックライト（２）が照射する発光部（３１）の位置を移動視認させるように構成し、移動しない要所の発光部（３１）をして、見る者に運動錯視による動的視覚をもたせるものである。
【００１１】
要所の発光部（３１）に照射する白色スポットライト（２０）は、要するに目立つ部分を形成するもので、明度の高い部分となりより視覚注意を喚起するもので、スイッチＯＮで常時要所等を照射しており、或いはブブラックライト（２）が要所の発光部（３１）に照射するときは、白色スポットライト（２０）が減光し、交代してブラックライト（２）が要所を浮き上がらせる。
【００１２】
このように、それぞれのブラックライト（２）が速度調整自在にリレー点滅してゆき、それぞれのブラックライト（２）が照射する発光部（３１）の位置を移動させるように構成している。
そのため移動しない要所の発光部（３１）が見る者に運動錯視による移動感を与え、動的視覚をもたせるのである。
要所の発光部（３１）と他の発光部（３１）とは、異なる図柄である。
【００１３】
白色スポットライト（２０）とブラックライト（２）とは、すべての箇所に併設してもよく、すべての発光部（３１）を選択的に照射する構成にすることもできる。
【００１４】
中空立体である本体部（１）は少なくとも一方向から中を視認することができるケース〔容器部〕（２７）とカバー〔蓋部〕（２８）からなる。
通常は、矩形の箱体や円筒体で、前面に開閉できる透明カバーを設けた形態で、内部空間はある程度暗くなる。
本体部（１）の中には、内部床面でもあるライトカバー（１１）にＬＥＤ白色スポットライト（２０）、紫外線ＬＥＤのブラックライト（２）を設けている。
【００１５】
内部壁面には、被照射面（３）が設けられる。
例えば、被照射面（３）は、奥面に上方部を全面側に湾曲させた台座（３０）を設け、これに絵や図柄、立体物を貼った背景紙を剥離交換自在に貼付した被照射面（３）とする。
内部側面や床面にも絵や図柄を描いておくのが好ましい。
【００１６】
被照射面（３）はブラックライト（２）に発光反応する蛍光塗料を一部又は全体に塗布した箇所である発光部（３１）を複数箇所、適宜間隔で設け、床面にライトカバー（１１）を設け、前記ブラックライト（２）の点滅リレー速度の速度調節摘み（５）、電源スイッチ（４）を設けている。
【００１７】
蛍光塗料を一部又は全体に塗布した箇所である発光部（３１）の作成は、絵の具で描いた面の上からブラックライト反応蛍光塗料をスポット塗布して形成するが、この場合発光部（３１）は明瞭に視認するためには、下絵の明度差を変えたり、蛍光塗料の塗布面はその周囲の絵の具の色調より濃蜜に描くことがバランス上良い。
半濁の蛍光塗料が下の絵の具を覆うため薄いと不鮮明になるので色調を強くしておいてちょうど良い。
又、静止している対象物が動いて見えるような運動錯視を与えるためには、視認する対象物の印象が残りながら、他の方向に視線印象を移してゆくので、その光彩のバランスが必要である。
【００１８】
前記本体部（１）は、前記本体部（１）の中を視認できる方向を前面とし、前面は樹脂等の透明板（２５）（ガラス・透明樹脂材等）で形成されており、前面から前記発光部（３１）の間に空間を設けている。
前記本体部（１）前面の樹脂等の透明板（２５）は、一部又は全体を蛍光塗料の劣化防止のためＵＶカットフィルム（２６）などを貼付するのが好ましい。
【００１９】
前記ブラックライト（２）は紫外線ＬＥＤ（発光ダイオード）で、３個以上列設している。
前記ブラックライト（２）は、無限リレー回路で、速度調整自在に順次点滅できる。
前記各ブラックライト（２）は、間隔を置いた前記各発光部（３１）にあわせ設置場所・発光角度・照射角度を設定調節されて配置されている。
各ブラックライト（２）は前記各発光部（３１）に対し、入射角度を１０度〜４５度に設定できる。各発光部（３１）への入射角度が浅いと照射範囲がぼやける。
【００２０】
なお。前記本体部（１）に発光強弱摘み（６）を設け、前記本体部（１）に音スイッチ（７）、タイマースイッチ（９）、物体や人が近づいたことを検知するセンサー（１０ａ）と連動するセンサースイッチ（１０）等の機能の追加は出願人の予想する範囲である。
【００２１】
前記電源スイッチ（４）は、電池を電源としたＯＮ、ＯＦＦスイッチ、段階的に点滅移動速度を設定したＯＮ１、ＯＮ２、ＯＦＦスイッチなどが設けられる。或いは点滅方向を変えるＯＮ１、ＯＮ２、ＯＦＦスイッチなどが設けられる。
【００２２】
点滅移動の速度は、運動残光があるような視認可能な速度である。電流が少ないとか、リレー速度が速いとＬＥＤがつきっぱなしのハイフラッシャー状態になって移動感はでない。
１秒ごとに次に移動してゆくリレー速度から、１００分の１秒ごとに移動してゆくリレー速度など、任意に調整できるように幅をもって設計して、実用の際は、約０，１秒〜０，７秒の視認可能な点滅速度を選択できるようにしている。
この移動速度の設定と、任意に変更ができることが、本考案の実施に際しては、動的視覚を、見る者の感性〔個性〕に合わせて設定できる重要な要素である。
動的視覚は、個体差があり、１秒間隔以上でゆっくり過ぎるとスピード感がなく、早すぎると被照射面（３）全体が一面に照射されて視覚される。
比較的多人数が感得する速度帯は、好ましくは０，２〜０，５秒の間隔でのリレー点滅照射が、動的印象が強い速度である。
【考案の効果】
【００２３】
被照射面（３）の中で、蛍光塗料で塗布された絵画部分等は塗布された箇所＝各発光部（３１）のみがブラックライト（２）の照射に反応する性質があるため、ブラックライト（２）で照射された場合蛍光塗料を塗布した箇所＝各発光部（３１）が浮かび上がり独特な雰囲気や立体感を醸しだすことが可能となる。
しかもその周囲は薄暗く視認上、よく注意喚起ができる。
【００２４】
そして、本体部（１）の前面から発光部（３１）までの間に空間を設け、その間に設けられている内部床面＝ライトカバー（１１）に前景を描くことにより奥行きを感得させ、より立体感をだすことができる。
この奥行きは、ブラックライト（２）のスポットライトの照射メガホン形を投影するので入射角度維持に必要な空間である。
本体部前面の透明板（２５）は、ＵＶカットフィルム（２６）を貼付することにより、紫外線等の被曝対策になり蛍光塗料の劣化を防ぎ、長期間蛍光効果を持続することができる。
【００２５】
絵などを表した被照射面（３）においては、画紙に通常絵の具や顔料で描いた箇所と、ブラックライト（２）の照射で鮮明に浮き出る少量の蛍光塗料で描いた箇所と、少量の蛍光塗料で描いた箇所の一部をマスキングして強調したい部分を多量の蛍光塗料で重ね塗りして描いた箇所とがある場合、ブラックライト（２）の照射に反応しない部分、照射に反応し少し浮かび上がる部分、照射に反応し鮮明に浮かび上がる部分を表現することができ、これらの使い分けでより一層立体感をださせることが可能となる。
【００２６】
従来は見る者にこの動的視覚を与えるものがなく、静止画を静止画としてしか見ることができなかった。
しかし、複数備え付けたブラックライト（２）を、順次照射箇所を変えるように所定速度で移動点滅させることにより、発光部（３１）の蛍光塗料で塗布した部分がブラックライト（２）の点滅に順次反応し、そこに視点を移動させながらも、白色スポットライト照射や明度が高い要所が視覚に残り、通常顔料で描いた箇所と蛍光塗料で描いた箇所の視覚差及び、発光部（３１）の移動感により見る者に、要所の発光部（３１）及び絵全体に動的視覚を持たせることが可能になる。
つまり、ブラックライト（２）を、要所の発光部（３１）の移動を錯視させる方向と逆方向に順次点滅させ、発光部（３１）の蛍光塗料で塗布した箇所をブラックライト（２）の照射で反応させ浮き出させることにより、要所の発光部（３１）をはじめとして描かれた絵などに移動感・立体感・躍動感をもたせることができる。
ブラックライト（２）により次々と変化してゆく絵が、次々と新しい刺激を
感じさせる。
【００２７】
さらにリレー点滅速度を変える機構（タイマーＩＣやスイープサイクル）と速度調節摘みを設けることにより、ブラックライト（２）の順次点滅の速度に変化を付けることができる。この点滅速度の調整が、見る者の感性にマッチした状態になり、要所や絵が動いて見えるのである。
【００２８】
例えば設置されてある絵が航空機の場合、雲＝各発光部（３１）を蛍光塗料で塗りブラックライト（２）の順次点滅速度を速めに調節すると飛行機の移動速度が速く見える。
描かれている絵が船（要所の発光部）の場合、船に白色スポットライト（２０）をあてて、一方ブラックライト（２）で、船の前方にある雲から、後方にある波や雲（周囲の発光部）へと、略水平方向にブラックライト（２）の順次点滅速度を遅めに調節すると、船がゆっくり移動しているように感じることができ、より実物に近い動的感得が可能である。
【００２９】
さらには、発光強弱摘みを設けることにより、ブラックライト（２）の発光の強弱を調節することが可能になり、例えば、設置されている絵が夜景の場合は発光を弱めに調節し、設置されている絵が「朝日が昇る」ような絵であれば発光を強めに調節し、より本物に近い表現が可能である。
【００３０】
音スイッチ（７）は、あらかじめ登録しておいた音や曲を鳴らすための手段を備えており、絵や主役の発光部にあわせたものを登録しておくとより効果的になる。
ブラックライト（２）の点滅に合わせて、飛行機の爆音や船の遠近警笛音を流すことになる。
【００３１】
タイマースイッチ（９）は、スイッチを押し設定時間がくると電源スイッチを自動的にＯＮ、ＯＦＦにする機能である。
【００３２】
センサースイッチ（１０）は、スイッチを押すとブラックライト（２）の順次点滅が止まりセンサー（１０ａ）が作動し、人などが近づいた際に感知してブラックライト（２）が順次点滅し始める手段を備えている。
【００３３】
電源スイッチ（４）は、通常はＯＮ・ＯＦＦスイッチでよい。ブラックライト（２）の速度に段階を持たせたＯＮ１・ＯＮ２とＯＦＦを組み合わせても良いし、或いはＯＮ１に電源スイッチを入れるとブラックライト（２）が順番に点滅していき、ＯＮ２に電源スイッチを入れるとＯＮ１の逆方向からブラックライト（２）が順番に点滅していく手段を備えてもよい。
ＯＦＦにあわせると電源スイッチが切れてすべての機能も作動しなくなり、備え付けてあるすべてのスイッチも切れた状態になる。
【００３４】
電源は、電池、家庭用電源、太陽光電池（ソーラーパネル）ほか限定されない。
屋外に設置されるようなディスプレイであれば、本体部の上部にソーラーパネル（２２）を設け電気供給切替スイッチ（２４）を設けることで省エネ化することも可能である。
電気供給切替スイッチ（２４）を設ければ、電池か前記ソーラーパネルから発電される電気を使用するか選択できる。
ソーラーパネル（２２）を使用することによりエネルギー消費対策にも有効であり環境にも配慮できる場合がある。
【００３５】
ディスプレイが小型であれば、本体部の裏面に壁面取り付け用の取付孔（２３）を設けることにより、机の上に置くだけでなく家の壁や車等に取り付けることができる。
【００３６】
更に本体部（１）を開閉可能にする構成も提案する。
開閉できるので、背景図柄を描いた被照射面（３）を交換したり、ブラックライト（２）の配置を換えたりすることが可能である。
使用者は、蛍光塗料で塗布した発光部（３１）の位置を置き換えたり、自由に交換・設置場所変更ができる変化にとんだ遊びも可能である。
【００３７】
なお、実際の商品化に当たっては、展示箇所から滑らないように本体部の底面に防滑防振具（８）を設けることなどが配慮される。
【考案を実施するための最良の形態】
【００３８】
以下において、ブラックライトを用いて動的視覚を与えるディスプレイの最良の形態を図面に基づいて説明する。
まず、ブラックライト（２）は、小型の紫外線ＬＥＤ（発光ダイオード）である。機能は、ブラックライト蛍光ランプと同じである。
ブラックライト蛍光ランプとは可視光線をカットする濃い青色のフィルターガラスを使用したガラス管内壁に近紫外線放射蛍光体を塗布したライトである。
ブラックライト（２）は、専門分野では近紫外線による励起発光を利用した検査、低波長域特有の屈折率を利用した検査等に使用されている。
【００３９】
一般的な用途は、暗いところで蛍光塗料を反応させ鮮明に浮き出させるため、ディスプレイ、広告などで使用されている。
拡散されにくい比較的暗いライトで、被照射面（３）や被照射物を照らし、励起発光するものである。
本考案のブラックライト（２）は、小型の紫外線ＬＥＤ（青色発光ダイオード）である。
【００４０】
このブラックライト（２）を、間隔をおいて複数個備えて、各ブラックライト（２）を順次点滅させて、注意喚起箇所を照射移動させて、要所に動的印象を与えるのである。
【００４１】
因みに、一個のブラックライト（２）のみを設け、そのライトに照射方向を移動する駆動装置や反射装置を設けて、散在する被照射面（３）や被照射物に順次その１つのブラックライト（２）で照射する構成も可能性はある。
しかし、一個のライトでその照射方向を変更する構成は、動的印象を与えることもなく、発光部（３１）の配置が不自然になり、かんばしくない。
【００４２】
本考案では、例えば船が航行する図柄では、船＝要所には第一の白色スポットライト（２０）＝白色ＬＥＤの強い光で常時照射しておき、周辺の雲や、波には、雲と波で異なる速度でのリレー点滅で第二、第三  第四  ・・・の多数のブラックライト（２）で照射箇所を順次後退させることで、船が前進する動的印象を付与することなどができる。
絵によっては、より要所（主役）を目だたせるためその部分を常時点灯しておくものや、明度を明るくしておく場合がある。これらの組み合わせは、任意に設計できる。
【００４３】
本考案の発光部に塗布する蛍光塗料は、ルミノペースト、マジックルミノペイント、アクリルガッシュ等があり、水性と油性がある。
ブラックライトの照射に反応するのであれば蛍光塗料・蓄光塗料の種類等は問わない。市販のものでは、ターナー（登録商標）やリキテックス（登録商標）がある。
【００４４】
このように本考案の最良の形態は、内部を視認することができる中空立体である本体部（１）の内面に、蛍光塗料を一部又は全体に塗布した多数の発光部（３１）を配した被照射面（３）を形成し、前記被照射面（３）の発光部（３１）にスポット照射するブブラックライト（２）を多数個列設して、それぞれの各ブラックライト（２）はその照射する箇所を速度調整自在にリレー点滅してゆくように構成され設けたことを特徴とするブラックライトを用いて動的視覚を与えるディスプレイである。
本体部（１）の前面から前記発光部（３１）の間に空間を設けて、そこにブラックライトを配して立体的印象も与えている。
【実施例１】
【００４５】
本考案に係るブラックライトを用いて動的視覚を与えるディスプレイを図に示す実施例について説明する。
図１は、本考案のブラックライトを用いて動的視覚を与えるディスプレイの実施例１を示す正面図である。中央の船が主役＝要所で、ブラックライト（２）の移動点滅により図中の矢印の方向に船が進行する運動錯視が生じるものである。
【００４６】
実施例１のディスプレイは、少なくとも一方向から内部を視認することができる中空立体である本体部（１）に、内部壁面に海を航行している船〔戦艦大和〕と、その周囲に波と雲を描いた背景絵を設けたものである。
背景は、印刷シートその他で自由にでき、図柄、立体形状、景色、模様等が描かれて被照射面（３）となる。
【００４７】
図２は、同じく実施例１であって、スイッチのＯＮ・ＯＦＦと移動点滅の速度調整機能を設けたもので、その背部から見た斜視図である。
図３は、同じく実施例１におけるディスプレイで、船への白色（ＬＥＤ照明）スポットライト（２０）とブラックライト（２）の左端が点灯している状態を示す正面図である。
【００４８】
図４は、実施例１における左端から３番目のブラックライト（２）が点灯している正面図である。３番目のブラックライト（２）が点灯するときは、これに重なる白色スポットライト（２０）は消灯する。
図５は、実施例１における左端から５番目のブブラックライト（２）が点灯している正面図である。４番目、５番目へブラックライト（２）が移動点灯するときは、これに重ならない白色スポットライト（２０）は点灯する。
図１３は、これらの一連の動きを示すもので、左から右へ、雲へブラックライト（２）のスポットでリレー点滅させた状態を示す説明図である。この図では、ブラックライト（２）が後方に移動しながら、照射してゆき、被照射面（３）の発行部（３１）＝雲や波を次々に明るく浮き上がらせて、後方に流れるイメージを作ってゆく。
そのために、発光部の要所に運動錯視が起こり、船が前進するように視認できる。
【００４９】
内部壁面の被照射面（３）は、図１２に示すように上方を湾曲した平面である奥面（正面）と、左右の側面から形成される。
奥面と、左右側面は、蛍光塗料を一部又は全体に塗布した数個所の発光部（３１）を有したもので、発光部（３１）は蛍光塗料を塗布した船＝要所の発光部（３１）及びその周囲に多数の発光部（３１）を配してなる。
【００５０】
奥面と、左右側面は、通常は図柄を描いたものであるが、左右側面を鏡面にして、奥面の景色や点滅や明度変化を反映するとさらに動きにおもしろさがある。
鏡面の形成は、側面や底面など、任意に本体部（１）の内面の一部に設計できる。
【００５１】
実施例１は、前記発光部（３１）に照射する白色スポットライト（２０）設けるとともに前記各発光部（３１）にスポット照射するブラックライト（２）（２）（２）・・を６個列設している。
ブラックライト（２）は、床面に埋込まれたかたちで設置され、中空立体の本体部（１）の内部床面が、画面背景であると同時にライトカバー（１１）ともなっている。
前記ブブラックライト（２）は、速度調節摘み（５）で速度調整自在にリレー回路で順次リレーで点滅をして、照射する箇所を順次発光させてゆく。
前記各ブラックライト（２）は被照射面（３）に合わせてそれぞれ照射方向を定めて、前記各発光部（３１）付近に照射して、蛍光反射によって発光部（３１）を順次視認強調するものである。
【００５２】
各発光部（３１）は、要所の発光部（３１）に移動感を与えるためにある方向に並んで存在している。
前記本体部（１）の前面には透明板（２５）を設け、前記本体部（１）前面から前記被照射面（３）の間に空間を設けて奥行きを感得させて立体感を与えている。
【００５３】
実施例１は、少なくとも一方向から内部を視認することができる中空立体である本体部（１）に、内部壁面に船が海を航行している絵の被照射面（３）を設け、前記本体部（１）の内部壁面の被照射面（３）は蛍光塗料を一部又は全体に塗布した数個所の発光部（３１）を有し、発光部（３１）は蛍光塗料を塗布した要所の発光部（３１）及びその周囲に多数の発光部（３１）を配してなり、中空立体の本体部（１）の内部床面をライトカバー（１１）として、前記発光部（３１）に照射する白色スポットライト（２０）設けるとともに前記各発光部（３１）にスポット照射するブラックライト（２）（２）（２）・・を多数個列設し、前記ブラックライト（２）は照射する箇所を速度調節摘み（５）で速度調整自在にリレー回路で順次点滅をするするように回路構成し、電源スイッチ（４）ＯＮで、前記各ブラックライト（２）は被照射面（３）に合わせてそれぞれ照射方向を定めて、前記各発光部（３１）付近に照射して、蛍光反射によって発光部（３１）を順次視認強調するものである。
【００５４】
前記本体部（１）の前面には透明板（２５）を設け、前記本体部（１）前面から前記被照射面（３）の間に空間を設けて奥行きを感得させて立体感を与えてもいる。
前面の透明板（２５）は、図１２のように内側の一部又は全体にＵＶカットフィルム（２６）を貼っている。紫外線を浴びることによる蛍光塗料の経年劣化を防止する。
被照射面（３）の図柄、立体形状、景色、模様等は自由に演出できる。
【００５５】
中空立体である本体部（１）は視認できる方向を前面とし、前面は透明板（２５）で、樹脂やガラス等で形成されており中を視認できるようになっている。
６個列設されているブラックライト（２）は、電源スイッチ（４）をＯＮにすることによりブラックライト（２）、（２）、（２）・・が順次点滅していく。
図１〜図５のように右端から点灯，消灯し、次が点灯、消灯し、と繰り返し、右端の点滅が終わったら左端がまた点滅することを繰り返す。
【００５６】
移動の速度は、約０，１秒〜０，７秒の視認可能な点滅速度を選択できるようにしている。
無限リレー回路で、所定速度で、点滅して、照射位置を移動してゆく。
移動感のためには、ブラックライト（２）は多いほど望ましいが、少なくとも３個以上あることが好ましい
【００５７】
実施例１のディスプレイに用いられる被照射面（３）の図柄は、夕暮れの雲を背景にして船＝軍艦＝戦艦大和が海原を航行する絵である。
図中においては、メガホン形にブラックライト（２）が照射しているように描いているが、その中でも雲＝発光部（３１）の部分が強く蛍光発光している。
そして、ブラックライト（２）を順次点滅移動させることにより、並んだ雲＝発光部（３１）が光って流れてゆき、スポット照明された明度の高い要所の発光部（３１）＝戦艦大和が動いているような視覚感覚を生み出している。
図１３は、その動的視認の説明で、戦艦大和の上方の雲（図では黒い塊）がスポットライトで後方のほうに流れ、下方の波（図では黒い塊）が後方に流れてゆく。つまりブブラックライト（２）で照射された各発光部（３１）が光って視覚に強く映って、移動してゆく。
又ライトカバー（１１）にも波が描かれており、戦艦大和の下部の波＝発光部（３１）の照射後退により、戦艦の前進を感得させる。
【００５８】
実施例１では、前記ブラックライト（２）は照射方向に合うように床面＝ライトカバー（１１）にそれぞれ孔を形成して半分埋設している。
孔の角度は照射方向を確定し、かつ見る者に奥行き立体感をあたえている。
前記ブラックライト（２）は、前記各発光部（３１）に対し、入射角度を１０度〜４５度に設定している。
なお、戦艦大和=要所に対しては、電源スイッチ（４）を入れたときにその一カ所のみを常時照射するか、ブラックライト（２）と交代で照射するか、ブラックライト（２）と交代で減光するか、の回路で、白色スポットライト（２０）を設けている。
要所を白色スポットライト（２０）で照らしておき、ブラックライト（２）の移動に従いその付近の白色スポットライト（２０）を減光すると、蛍光が際立ちより幻想的に表現できる。
周囲より目立って、視認残光が脳にある中で、周囲の発光部（３１）が後退するように移動点滅してゆくので、運動錯視が客観的に生じるものと推測できる。
【００５９】
本考案の実施例１に示す本体部（１）は横幅約１７ｃｍ、高さ約１２ｃｍ、奥行き約６ｃｍで構成しブラックライト（２）を６個設置している。
発光部（３１）には蛍光塗料で波・雲の一部を塗布し、船=戦艦大和の先頭部分に蛍光塗料を塗布し、波と雲の後退移動照射によって、船＝戦艦大和が前進しているように動的視覚をあたえている。
【００６０】
さて、リレー速度については、リレー点滅速度を変える機構（タイマーＩＣやスイープサイクル）を設け、速度調節摘み（５）を設けることにより、設置された発光部（３１）にあわせブラックライト（２）の照射速度を変更することが可能である。
実施例１に示す速度調節摘み（５）は左右にひねることにより、遅速の速度調節ができる。
約０，１秒〜０，７秒の視認可能な点滅速度を選択できるようにしている。
【００６１】
前面は、合成樹脂製の透明板（２５）を設けている。
防塵や機能保護のためであるが、ＵＶカットフィルム（２６）を設けることにより、屋内外の紫外線をカットし蛍光塗料の劣化を防止することができる。
商業的に設置される大きなディスプレイのようなものでは蛍光発光の能力劣化防止、おもちゃのような市販タイプでも屋外で使用する場合はＵＶカットフィルム（２６）は特に屋外紫外線をカットする効果があり、有用である。
【００６２】
設置される発光部（３１）は立体的な物でもよい。発光部（３１）は複数でも問題なく、蛍光塗料を塗られていない物を設置してもよい。
少なくともある方向に蛍光塗料で塗布された発光部（３１）を設置していればよい。
絵に立体的な物を貼り付け、絵か立体物どちらかに蛍光塗料を塗って設置してもよい。
ライトカバー（１１）に蛍光塗料等を塗布してもよい。
【００６３】
発光部（３１）の大きさ、設置場所や数、大きさは問わない。ただし発光部（３１）同士はあまり接近させず、ブラックライト（２）の設置間隔にあわせて配置する。
ブラックライト（２）の数は、ひとつではなく、３個以上あることが好ましい。絵にあわせて大量の数でもよいし、小さい絵であれば、３〜１０個でもよい。
大きさ、発光角度、照射角度、設置場所は絵にあわせて設計されることになる。
【実施例２】
【００６４】
図６は、ブラックライト（２）を１１個、白色スポットライト（２０）１個を用いて動的視覚を与えるディスプレイ（装飾体）の実施例２を示す右上方から見た前面の斜視図である。
図７は、同じく実施例２の背部から見た斜視図である。
【００６５】
この実施例２は、中空立体である本体部（１）に、２列のブラックライト（２）、蛍光塗料を塗布した発光部（３１）、電源スイッチ（４）、速度調節摘み（５）を設け、本体部（１）の前面から前記発光部（３１）の間に空間を設け、発光強弱摘み（６）、音スイッチ（７）、防滑防振具（８）、タイマースイッチ（９）、センサースイッチ（１０）、センサー（１０ａ）、ライトカバー（１１）、ソーラーパネル（２２）、取付孔（２３）、電気供給切替スイッチ（２４）を設け、前記電源スイッチ（４）がＯＮ１、ＯＮ２、ＯＦＦからなるブラックライトを用いて動的視覚を与えるディスプレイである。
【００６６】
２列のブラックライト（２）は、間隔狭く配置しているが、使用するブラックライト（２）を絵柄によっては変更設定できるほか、緻密な移動で、運動錯視を強く感得させることができる。
発光強弱摘み（６）を設けることにより、設置された発光部（３１）にあわせブブラックライト（２）の照射強弱を変更することが可能である。
発光強弱摘み（６）は左右にひねることにより発光の強弱調節ができる。
【００６７】
音スイッチ（７）は１回押すと音や曲が鳴るようになり、もう一度押すと音が止まるようになっており、電源スイッチをＯＦＦにした場合も音が止まる。
電源スイッチをＯＦＦにした場合、次に電源スイッチが入ったときに音スイッチ（７）を押せば音や曲が鳴るようになっている。
【００６８】
タイマースイッチ（９）は、スイッチを押し設定時間がくると電源スイッチを自動的にＯＦＦにする機能である。
タイマースイッチ（９）が一度押されるとカウントをはじめ、もう一度押すとタイマー機能が止まりリセットされ、電源スイッチをＯＦＦにしたときもタイマー機能が止まりリセットされる。
【００６９】
センサースイッチ（１０）は、スイッチを押すとブラックライト（２）の点滅が止まりセンサー（１０ａ）が作動し、人などが近づいた際にセンサー（１０ａ）が感知してブラックライト（２）が点滅する手段を備えている。
もう一度スイッチを押すとセンサーが止まり、ブラックライトが再び点滅する。
センサーは赤外線、熱、音等のセンサーを使用できる。
以上のような、発光強弱や音発生の機能、タイマー、各種センサーは、適宜装置できる機能であり、商業的なディスプレイの場合は付加価値がある。
【００７０】
おもちゃや小型のディスプレイでは、本体部背面に、取付孔（２３）を設けることによって、壁掛け型とすることができる。
机の上に置くだけでなく家の壁や車等に取り付けることができる。
【００７１】
実施例２では、電源は、２電源方式とした。ソーラーパネル（２２）、電気供給切替スイッチ（２４）を設けることにより、電気の供給を電池だけでなく太陽の光を利用することもできる。
前記電気供給切替スイッチ（２４）が上にある場合には電池から電気が供給され、下の場合はソーラーパネル（２２）を利用し電気を供給する。
【００７２】
実施例２では、電源スイッチ（４）をＯＮ１、ＯＮ２、ＯＦＦを設けてあり、ＯＮ１に合わせた場合とＯＮ２に合わせた場合とで、ブラックライト（２）の順次点滅を逆方向にすることができる。
ＯＮ１が左端から点滅するのであれば、ＯＮ２を右端から点滅するように設定している。前進か後退の視覚印象を与えることができ、変化を楽しませるためである。
電源スイッチ（４）は、ＯＮ１、ＯＮ２とＯＦＦを設けているが、点滅速度の切替にセットしてもよい。
【実施例３】
【００７３】
図８は、本考案に係るブラックライトを用いて動的視覚を与えるディスプレイであって、透明板（２５）がスライドして開けられるタイプつまり本体部（１）の一部が開閉可能な実施例３を示す背部からの斜視図である。
図８は、本体部（１）の透明板（２５）をスライドし動かすことによって、中の物を取出したり交換したり、配置を変更できる。
【００７４】
図９は、前カバー（２８）全体が取り外して開けられるタイプで、本体部（１）の一部が開閉可能な態様の実施例３の斜視図である。
【００７５】
この実施例３は、本体部（１）の一部が開閉可能なことを特徴とし、開閉可能にすることで中に設置してある物や背景を交換したり、ブラックライト（２）の設置位置を手軽に変更することができる。
背景画面や要所画面は、戦艦大和や、機関車  新幹線  ジェット機、ロボット  滝  人工衛星  潜水艦などさまざまにできる。
開閉可能な構成の場合は、被照射面（３）＝背景画面を数枚用意しておいて交換自在にすることもできる。
交換は、両面テープで画面を貼り替える
図９の構成は、本体部（１）をケース（２７）とカバー（２８）に分解組み立て自在として、中の背景紙を取出して交換したり、ブラックライト（２）の角度調整や配置変更を手軽にできる。
【実施例４】
【００７６】
図１０及び図１１の実施例４は、本考案に係るブラックライトを用いて動的視覚を与えるディスプレイの底面に防滑防振具（８）を設けたものである。
【００７７】
ゴム等の素材からなる防滑防振具（８）を設けることにより、本体部を机等に置く場合、少し傾斜がある場所でも滑り落ちることがないし、多少の衝撃をうけたときでも倒れたり落ちたりすることを防止する。
【００７８】
図１１の防滑防振具（８）は吸盤であり、本体部を机等に置く場合少し傾斜がある場所でも動くことがなく、多少の衝撃をうけたときでも倒れたり落ちたりすることがない。
図１０、図１１の実施例４は、設置場所の狭いときや、店頭掲示する場合や、商店用のディスプレイには有用である。
防滑防振具（８）ではなく、つるまきバネを付設してわざと揺動するようにしてもよい。
【００７９】
以上の実施例はあくまで一例であり、寸法、素材、色などはこれに限定されるものではない。
被照射面（３）も絵画等の平面体でも立体物でもよく、又絵に限らず漫画や写真、風景などでもよい。設置される発光部（３１）の図柄もさまざまに選定できる。
【産業上の利用可能性】
【００８０】
本考案のブラックライトを用いて動的視覚を与えるディスプレイは、ブラックライトを複数設置し順次点滅させて、強調したいところを蛍光塗料で塗布した発光部を照射することにより、見る者に移動しているような動的視覚を与える。
このように本考案のブラックライトを用いて動的視覚を与えるディスプレイは、ディスプレイ（置物  展示品  装飾体）としてばかりでなく、癒しグッズ、おもちゃ、インテリアディスプレイ、店頭ディスプレイ、舞台照明、広告、宣伝、店看板、イベント会場等にも応用可能である。
【図面の簡単な説明】
【００８１】
【図１】本考案に係るブラックライトを用いて動的視覚を与えるディスプレイの実施例１を示す正面図である。
【図２】本考案に係るブラックライトを用いて動的視覚を与えるディスプレイの実施例１の背部からの斜視図である。
【図３】本考案に係るブラックライトを用いて動的視覚を与えるディスプレイの実施例１においてブラックライトの左端が点灯している状態を示す正面図である。
【図４】同じく実施例１において左端から３番目が点灯している状態を示す正面図である。
【図５】同じく実施例１において左端から５番目が点灯している状態を示す正面図である。
【図６】本考案に係るブラックライトを用いて動的視覚を与えるディスプレイの実施例２を示すもので、前方右上方からみた斜視図である。
【図７】同じく実施例２を示すもので、背部右上方からみた斜視図である。
【図８】本考案に係るブラックライトを用いて動的視覚を与えるディスプレイの本体部の一部が開閉可能な実施例３を示す背部からの斜視図である。
【図９】同じく本体部の一部が開閉可能な実施例３を示す背部からの斜視図である。
【図１０】本考案に係るブラックライトを用いて動的視覚を与えるディスプレイで底面に防滑防振具（８）を設けた実施例４を示す底面図である。
【図１１】同じく底面に防滑防振具を設けた実施例４を示す底面図である。
【図１２】本考案に係るブラックライトを用いて動的視覚を与えるディスプレイの実施例１を示す一部切開図である。
【図１３】本考案に係るブブラックライトを用いて動的視覚を与えるディスプレイの実施例１において、雲へブラックライトをリレー点滅させた状態を示す説明図である。
【符号の説明】
【００８２】
１      本体部
２      ブラックライト
２０    白色スポットライト
３      被照射面
３０    台座
３１    発光部（雲  波）
３１    要所の発光部（船）
４      電源スイッチ
５      速度調節摘み
６      発光強弱摘み
７      音スイッチ
８      防滑防振具
９      タイマースイッチ
１０    センサースイッチ
１０ａ  センサー
１１    ライトカバー
２２    ソーラーパネル
２３    取付孔
２４    電気供給切替スイッチ
２５    透明板
２６    ＵＶカットフィルム
２７    ケース（容器部）
２８    カバー（蓋部）
【図１】
0003131824.tif 000003
【図２】
0003131824.tif 000004
【図３】
0003131824.tif 000005
【図４】
0003131824.tif 000006
【図５】
0003131824.tif 000007
【図６】
0003131824.tif 000008
【図７】
0003131824.tif 000009
【図８】
0003131824.tif 000010
【図９】
0003131824.tif 000011
【図１０】
0003131824.tif 000012
【図１１】
0003131824.tif 000013
【図１２】
0003131824.tif 000014
【図１３】
0003131824.tif 000015